(57)【要約】【課題】ＴＶ機能付携帯端末が装着されるホルダ部の角度を自由に変更可能にすることにより、快適にテレビ視聴を行え、視聴後すぐにＴＶ機能付携帯端末を携帯可能とする。【解決手段】携帯電話機５０（ＴＶ機能付携帯端末）を装着して充電する卓上式充電器１に、卓上に載置されるベース部２を設ける。このベース部２の先端にホルダ部３を回動自在且つ傾動自在に支持する。ホルダ部３に携帯電話機５０を保持するロックレバー２６（保持部）と充電用接点３０とを設ける。【選択図】図８
2008294793.tif 000002
【特許請求の範囲】
【請求項１】
ＴＶ機能付携帯端末を装着して充電する卓上式充電器であって、
卓上に載置されるベース部と、
上記ベース部の先端に回動自在且つ傾動自在に支持され、上記ＴＶ機能付携帯端末を保持する保持部及び充電用接点を有するホルダ部と、
を備えている
ことを特徴とする卓上式充電器。
【請求項２】
請求項１記載の卓上式充電器であって、
上記ベース部は、
上方向に伸びる軸保持部及び該軸保持部を支える台部を有するケースと、
上記軸保持部の先端に回動自在且つ傾動自在に支持され、先端に上記ホルダ部が連結される軸部と、
上記軸保持部の先端側に設けられ、軸部の基端側を支持する軸受部と、
上記軸保持部の中間部に設けられ、上記軸受部を上記軸部側に付勢する付勢部材と、
上記軸保持部の基端側に設けられ、上記付勢部材の強度を調整する調整手段と、
を備えている
ことを特徴とする卓上式充電器。
【請求項３】
請求項２に記載の卓上式充電器であって、
上記軸部は、
基端側の球形状部と、
該球形状部から伸び、先端に上記ホルダ部が連結される円柱形状部と、
を備えている
ことを特徴とする卓上式充電器。
【請求項４】
請求項３に記載の卓上式充電器であって、
上記軸受部と上記軸保持部の先端内面とで球面軸受が構成されている
ことを特徴とする卓上式充電器。
【請求項５】
請求項２乃至４のいずれか１つに記載の卓上式充電器であって、
上記ケースの台部は、略矩形板状をなし、上記軸保持部の先端正面側に上記軸部が傾動するための切欠部が形成されている
ことを特徴とする卓上式充電器。
【請求項６】
請求項２乃至５のいずれか１つに記載の卓上式充電器であって、
上記付勢部材は、圧縮バネである
ことを特徴とする卓上式充電器。
【請求項７】
請求項６に記載の卓上式充電器であって、
上記調整手段は、上記台部の底面側から挿通した調整用ビスを締め付けて上記圧縮バネの下端側を押圧することによって、該圧縮バネの強度を調整するように構成されている
ことを特徴とする卓上式充電器。
【請求項８】
請求項２乃至７のいずれか１つに記載の卓上式充電器であって、
上記ホルダ部は、ＴＶ機能付携帯端末の表示画面が横長となるように該ＴＶ機能付携帯端末を保持可能に構成されている
ことを特徴とする卓上式充電器。
【請求項９】
請求項８に記載の卓上式充電器であって、
上記ホルダ部は、横長の略矩形板状のもので、上記保持部は、該ホルダ部の長手方向の両端に配置され、
該ホルダ部を正面側に傾動させたときに、下側となる側面に上記ＴＶ機能付携帯端末の側面に設けた充電端子に接続可能な接点レバーが設けられている
ことを特徴とする卓上式充電器。
【請求項１０】
請求項９に記載の卓上式充電器であって、
上記接点レバーは、
ホルダ部の長手方向に沿って伸びる接点レバー支持軸と、
該支持軸の上記ホルダ部の幅方向内側に、該ホルダ部表面から突出するように設けた検出ボタンと、
を備え、上記充電用接点は、該接点レバーの幅方向外側に上記検出ボタンが押圧されたときに飛び出すように配置されている
ことを特徴とする卓上式充電器。
【請求項１１】
請求項８乃至１０のいずれか１つに記載の卓上式充電器であって、
上記軸保持部は、上記台部における上記切欠部と反対側の中心からずれた位置に結合されている
ことを特徴とする卓上式充電器。
【請求項１２】
請求項１１に記載の卓上式充電器であって、
上記充電用接点に電圧を供給する配線は、上記ホルダ部における接点レバーと幅方向反対側に配置されている
ことを特徴とする卓上式充電器。
【発明の詳細な説明】
【技術分野】
【０００１】
本発明は、ＴＶ機能付携帯端末を充電しながらＴＶ視聴可能にする卓上式充電器に関する。
【背景技術】
【０００２】
近年開始された地上デジタルテレビ放送は、高画質且つ高音質である上に、走行している電車やバス等に設置したテレビでも、チラツキがなくきれいに受信及び視聴することが可能となっている。また、携帯端末等で、簡易動画やデータ放送、音声放送を受信及び視聴するサービスも開始されている。このため、近年、地上デジタルテレビ放送受信可能なＴＶ機能付携帯端末が出現するようになっている。
【０００３】
地上デジタルテレビ放送を長時間受信すると多くの消費電力を消耗し、頻繁に充電器で充電をする必要がある。この充電器の形状としては、様々なものがある。
【０００４】
例えば、特許文献１は、地磁気方位センサを内蔵する携帯端末が取り付けられるホルダ部を有し、ホルダ部に取り付けられた携帯端末の蓄電池に対し充電可能なものであって、ホルダ部を３６０度水平回転可能に支持するターンテーブル機構部を有した携帯端末用充電器が提案されている。
【特許文献１】特開２００３−２６９９６５号公報
【発明の開示】
【発明が解決しようとする課題】
【０００５】
ところで、上述したように、地上デジタルテレビ放送を長時間受信すると多くの消費電力を消耗することから、自宅にてテレビ視聴する場合、充電しながら視聴すれば、いざ外出というときにも十分に充電された状態で携帯できる。充電しながらテレビ視聴するのであれば、当然見易い角度に自由に調整したいという要求が出てくる。
【０００６】
しかしながら、特許文献１の充電器では、ターンテーブル機構部はホルダ部を３６０度水平回転可能に支持するだけであり、ホルダ部を傾動することはできず、見易い角度に自由に調整することはできないという問題がある。
【０００７】
本発明は、かかる点に鑑みてなされたものであり、その目的とするところは、ＴＶ機能付携帯端末が装着されるホルダ部の角度を自由に変更可能にすることにより、快適にテレビ視聴を行え、視聴後すぐにＴＶ機能付携帯端末を携帯可能とすることにある。
【課題を解決するための手段】
【０００８】
上記目的を達成するために、本発明では、ＴＶ機能付携帯端末が装着されるホルダ部をベース部の先端に回動自在且つ傾動自在に支持するようにした。
【０００９】
第１の発明では、ＴＶ機能付携帯端末を装着して充電する卓上式充電器を対象とし、
上記卓上式充電器は、
卓上に載置されるベース部と、
上記ベース部の先端に回動自在且つ傾動自在に支持され、上記ＴＶ機能付携帯端末を保持する保持部及び充電用接点を有するホルダ部と、
を備えている。
【００１０】
上記の構成によると、充電器をユーザーの正面に置いたときでも、左右のずれた位置に置いたときでも、最適な角度にホルダ部を回動及び傾動させることにより、ＴＶ画面をユーザーの視線の正面に向けることが可能になる。
【００１１】
第２の発明では、第１の発明において、
上記ベース部は、
上方向に伸びる軸保持部及び該軸保持部を支える台部を有するケースと、
上記軸保持部の先端に回動自在且つ傾動自在に支持され、先端に上記ホルダ部が連結される軸部と、
上記軸保持部の先端側に設けられ、軸部の基端側を支持する軸受部と、
上記軸保持部の中間部に設けられ、上記軸受部を上記軸部側に付勢する付勢部材と、
上記軸保持部の基端側に設けられ、上記付勢部材の強度を調整する調整手段と、
を備えている。
【００１２】
上記の構成によると、ＴＶ機能付携帯端末は、ホルダ部に保持された状態で、ケースの台部で安定して支持される。調整手段によって付勢部材の強度を調整して、軸部を軸受部に最適な強さで保持することにより、ＴＶ画面が好みの位置に安定してキープされる。
【００１３】
第３の発明では、第２の発明において、
上記軸部は、
基端側の球形状部と、
該球形状部から伸びる円柱形状部と、
を備えている。
【００１４】
上記の構成によると、簡単な構成で軸部がケースの先端に回動自在且つ傾動自在に支持される。
【００１５】
第４の発明では、第３の発明において、
上記軸受部と上記軸保持部の先端内面とで球面軸受が構成されている。
【００１６】
上記の構成によると、上記軸部の球形状部が球面軸受内で自由に回転するので、ホルダ部の回動及び傾動が滑らかに行われる。
【００１７】
第５の発明では、第２乃至第４のいずれか１つの発明において、
上記ケースの台部は、略矩形板状をなし、上記軸保持部の先端正面側に上記軸部が傾動するための切欠部が形成されている。
【００１８】
上記の構成によると、軸部を切欠部に沿って傾動させることで、ホルダ部が正面側に傾動され、軸受部内で球形状部を回転させることで、ホルダ部が回動される。ホルダ部を傾動又は回動させても、略矩形板状の台部によりバランスがよく支えられるので、卓上式充電器が倒れ難い。
【００１９】
第６の発明では、第２乃至第５のいずれか１つの発明において、
上記付勢部材は、圧縮バネとする。
【００２０】
上記の構成によると、圧縮バネの強度は、微調整が可能であり、また、低コストである。
【００２１】
第７の発明では、第６の発明において、
上記調整手段は、上記台部の底面側から挿通した調整用ビスを締め付けて上記圧縮バネの下端側を押圧することによって、該圧縮バネの強度を調整するように構成されている。
【００２２】
上記の構成によると、調整用ビスを締め付けたり弛めたりすることで、圧縮バネの強度変化が圧縮バネの縮み量に対して比例的に行われる。
【００２３】
第８の発明では、第２乃至第７のいずれか１つの発明において、
上記ホルダ部は、ＴＶ機能付携帯端末の表示画面が横長となるように該ＴＶ機能付携帯端末を保持可能に構成されている。
【００２４】
上記の構成によると、ＴＶ機能付携帯端末の画面を横長にした状態で最適な角度でＴＶの視聴が快適に行われる。
【００２５】
第９の発明では、第８の発明において、
上記ホルダ部は、横長の略矩形板状のもので、上記保持部は、該ホルダ部の長手方向の両端に配置され、
該ホルダ部を正面側に傾動させたときに、下側となる側面に上記ＴＶ機能付携帯端末の側面に設けた充電端子に接続可能な接点レバーが設けられている。
【００２６】
上記の構成によると、幅方向側面に充電端子が設けられたＴＶ機能付携帯端末の充電に適している。
【００２７】
第１０の発明では、第９の発明において、
上記接点レバーは、
ホルダ部の長手方向に沿って伸びる接点レバー支持軸と、
該支持軸の上記ホルダ部の幅方向内側に、該ホルダ部表面から突出するように設けた検出ボタンと、
を備え、上記充電用接点は、該接点レバーの幅方向外側に上記検出ボタンが押圧されたときに飛び出すように配置されている。
【００２８】
上記の構成によると、ホルダ部にＴＶ機能付携帯端末を載置したときに、ＴＶ機能付携帯端末の底面が検出ボタンを押し下げることで、接点レバーが回転し、反対側に隠れていた充電用接点が飛び出し、通電及び充電が可能となる。このため、ＴＶ機能付携帯端末を載置しないときに誤って充電用接点に触れて感電することはない。
【００２９】
第１１の発明では、第８乃至第１０のいずれか１つの発明において、
上記軸保持部は、上記台部における上記切欠部と反対側の中心からずれた位置に結合されている。
【００３０】
上記の構成によると、ホルダ部を正面側に傾動させても卓上でのバランスがよく、卓上式充電器が倒れ難い。
【００３１】
第１２の発明では、第１１の発明において、
上記充電用接点に電圧を供給する配線は、上記ホルダ部における接点レバーと幅方向反対側に配置されている。
【００３２】
上記の構成によると、ユーザーが見易いようにユーザーの正面に来るように傾動されたホルダ部の重心は、前側に移動するが、その幅方向反対側に配線をつなぐことで重心バランスが取られる。
【発明の効果】
【００３３】
以上説明したように、本発明によると、ＴＶ機能付携帯端末が装着されるホルダ部の角度を自由に変更可能としたことにより、卓上に載置して快適にテレビ視聴を行えると共に、視聴後すぐにＴＶ機能付携帯端末を携帯可能とすることができる。
【発明を実施するための最良の形態】
【００３４】
以下、本発明の実施形態を図面に基づいて説明する。
【００３５】
図１は、本実施形態にかかる卓上式充電器のホルダ部を傾動させた状態を左前方から見た示す斜視図である。図２は、卓上式充電器のホルダ部を傾動させた状態を示す正面図である。図３は、卓上式充電器のホルダ部を水平にした状態を示す正面図である。図４は、卓上式充電器のホルダ部を水平にした状態を示す斜視図である。図５は、卓上式充電器のホルダ部を水平にした状態を下方から見た斜視図である。図６は、図２のVI−VI線断面図である。図７は、卓上式充電器の分解図である。図８は、卓上式充電器に携帯電話機を設置した斜視図である。図９は、充電端子が見えるようにした携帯電話機の斜視図である。
【００３６】
図１〜図５，図８及び図９に示すように、本実施形態の卓上式充電器１は、ＴＶ機能付携帯端末としての携帯電話機５０を装着して充電するものであり、この卓上式充電器１は、卓上に載置されるベース部２を備えている。このベース部２の先端には、携帯電話機５０を保持するホルダ部３が回動自在且つ傾動自在に支持されている。ベース部２及びホルダ部３の大部分は、樹脂成形品よりなる。
【００３７】
上記ベース部２は、上方向に伸びる断面円形の先細りテーパー状の軸保持部４と、この軸保持部４を支える台部５とを有する樹脂製のケース６で覆われている。ケース６は、一体成形されているが、軸保持部４と台部５とを別々に成形してもよい。台部５は、前面が曲面状の略矩形板状のもので、台部５の中心よりも後側に軸保持部４が連結されている。台部５の底面には、ゴム製の滑り止め部材７が貼り付けられている。
【００３８】
図６及び図７に示すように、上記軸保持部４の先端は、略球面状に成形され、上面から正面側に向けて切欠部８が切り欠かれている。この切欠部８から、先端にホルダ部３が連結される軸部９の円柱形状部９ａが飛び出している。円柱形状部９ａの先端には、９０°の間隔をあけて軸方向に伸びる回り止め用溝部９ｂが形成されている。円柱形状部９ａの上面には、ホルダ部３を固定するためのホルダ部固定用ネジ孔１０が設けられている。軸部９の基端側には、円柱形状部９ａよりも大径の球形状部９ｃが設けられている。この球形状部９ｃは、上面が球面の蓋１１ａで覆われた中空円柱形状の軸受部１１に回転可能に支持されている。蓋１１ａの球面及び軸保持部４の上面との間に挿入した球面を有するリング部材１２で囲まれた領域で球面軸受１３（図６にのみ示す）が形成されている。軸受部１１の基端は、台部５の底面中央の係止部５ａ（図５にのみ示す）に係止されて固定される板状の底部材１４に支持されている。底部材１４の中央は上方に向かって隆起し、その中心にビス用ネジ孔１４ａが形成されている。このように構成することにより、簡単な構造で軸保持部４に軸部９が傾動自在に且つ回転自在に支持されている。また、切欠部８の形状により、軸部９の傾動方向と傾動角度が制御されている。
【００３９】
軸保持部４の中間部（軸受部１１の内部）には、軸受部１１を軸部９側に付勢する付勢部材としての圧縮バネ１６が挿入されている。蓋１１ａの下面は、下方に突出した円柱状のバネ挿入部１１ｂ（図６にのみ示す）が形成され、このバネ挿入部１１ｂにワッシャ１７が挿入され、そのワッシャ１７の下面に圧縮バネ１６が挿入されている。このように、軸受部１１の内部に圧縮バネ１６を挿入することで、圧縮バネ１６の位置ずれが防止されている。軸受部１１の基端側には、圧縮バネ１６の強度を調整する調整手段１８が設けられている。
【００４０】
すなわち、調整手段１８は、円板部分１９ａとこの円板部分１９ａから上方に突出する断面十字状のバネ挿入部１９ｂとを有するスプリング用プレート１９とを備え、このスプリング用プレート１９は、軸受部１１の基端側から挿入され、そのバネ挿入部１９ｂが圧縮バネ１６の下方から挿入されると共に、円板部分１９ａが圧縮バネ１６の基端側に当接するようになっている。調整手段１８は、さらに、底部材１４のビス用ネジ孔１４ａに挿通され、スプリング用プレート１９の下面に先端が当接する調整用ビス２０を備え、この調整用ビス２０を締め付けて上方へネジ込んで、圧縮バネ１６の下端側を押圧することによって、圧縮バネ１６の強度を調整するように構成されている。このように、調整用ビス２０を締め付けたり、弛めたりすることで、圧縮バネ１６の強度変化が圧縮バネ１６の縮み量に対して比例的に行われるようになっている。圧縮バネ１６の強度は微調整が可能であり、また、低コストという利点がある。
【００４１】
図８に示すように、上記ホルダ部３は、携帯電話機５０の表示画面５０ａが横長となるように、この携帯電話機５０を保持可能に構成されている。図７に示すように、ホルダ部３は、横長の略矩形板状で、且つ表面側キャブ３ａと裏面側キャブ３ｂとを重ね合わせた中空のもので、その中央下面に上記軸部９の先端が挿入される脱着用プレート２２が取り付けられている。脱着用プレート２２の中心には、円柱形状部９ａが挿入される軸挿入孔２２ａが形成され、その内面には、回り止め用溝部９ｂに挿入される突条部２２ｂ（図６にのみ示す）が形成されている。脱着用プレート２２は、下方からビス孔２２ｃにビス２３を締結することでホルダ部３の底面に固定されている。円柱形状部９ａの上面のホルダ部固定用ネジ孔１０に固定用ネジ２４を締め付けることで、ホルダ部３が円柱形状部９ａに対して回り止めされ、ホルダ部３と軸部９とが一体に連動するようになっている。なお、ホルダ部３は、ベース部２と連結せずに、ホルダ部３のみを卓上に載置して充電することも可能となっている。このため、ホルダ部３の底面にも滑り止め部材７が貼り付けられている。
【００４２】
ホルダ部３の長手方向及び幅方向の両端には、端末嵌め込み部３ｃが突設され、その長手方向の端末嵌め込み部３ｃの内部に保持部としてのロックレバー２６がそれぞれ配置されている。図７に示すように、このロックレバー２６は、ホルダ部３の幅方向に伸びるロックレバー支持軸２６ａを備え、このロックレバー支持軸２６ａにねじりコイルバネ２７のコイル部を挿入し、ホルダ部３の表面から突出する爪部２６ｂを内側に付勢している。
【００４３】
ホルダ部３を正面側に傾動させたときに、下側となる側面には、接点収容部３ｄが突設され、その内部に携帯電話機５０の側面に設けた充電端子５１に接続可能な接点レバー２８が設けられている。接点レバー２８は、ホルダ部３の長手方向に沿って伸びる接点レバー支持軸２８ａを備えている。この接点レバー支持軸２８ａからホルダ部３の幅方向内側にホルダ部３表面から突出するように設けた検出ボタン２９が設けられている。この接点レバー支持軸２８ａにねじりコイルバネ２７のコイル部を挿入することで、検出ボタン２９をホルダ部３表面から突出するように付勢している。この検出ボタン２９と反対側の幅方向外側に検出ボタン２９が押圧されたときに飛び出すように充電用接点３０が配置されている。なお、ホルダ部３の表面には、携帯電話機５０のガタを防止するクッション部材３２が貼り付けられている。
【００４４】
図８にのみ示すように、この充電用接点３０に電圧を供給する配線３１は、ホルダ部３における接点レバー２８と幅方向反対側に配置されている。このような配置により、本実施形態の卓上式充電器１は、図９に示すような、幅方向側面に充電端子５１が設けられた携帯電話機５０の充電に適している。
【００４５】
−作動−
次に、本実施形態にかかる卓上式充電器１の作動について説明する。
【００４６】
携帯電話機５０を充電したり、ＴＶ視聴したりする場合には、まず、図８に示すように、携帯電話機５０をホルダ部３に載置する。
【００４７】
すると、携帯電話機５０の底面が検出ボタン２９を押し下げることで、接点レバー２８が回転し、反対側に隠れていた充電用接点３０が飛び出し、通電及び充電が可能となる。不使用時には、充電用接点３０は隠れているため、携帯電話機５０を載置しないときに誤って充電用接点３０に触れて感電することはない。
【００４８】
ＴＶ視聴するには、ユーザーが見易いように携帯電話機５０の画面５０ａが正面に来るようにホルダ部３を傾動させる。すなわち、軸部９を切欠部８に沿って傾動させることで、ホルダ部３が正面側に傾動され、軸受部１１上で球形状部９ｃを回転させることで、ホルダ部３が回動される。軸部９の球形状部９ｃが球面軸受１３内で自由に回転するので、ホルダ部３の回動及び傾動が滑らかに行われる。
【００４９】
この視聴位置において、軸保持部４は、台部５上のホルダ部３が傾動する方向と反対側にずれた位置に結合されているので、ホルダ部３を正面側に傾動させても卓上でのバランスがよく、倒れ難い。また、充電用接点３０に電圧を供給する配線３１は、ホルダ部３における接点レバー２８と幅方向反対側に配置されているので、ユーザーが見易いようにユーザーの正面に来るように傾動されたホルダ部３の重心は前側に移動するが、その幅方向反対側に配線３１をつなぐことで重心バランスが取られる。
【００５０】
ホルダ部３を適切な位置に移動させた後に、調整手段１８の調整用ビス２０を締め付けることで、圧縮バネ１６の強度を調整して、軸部９を軸受部１１に最適な強さで保持することにより、ＴＶ画面５０ａが好みの位置に安定してキープされる。
【００５１】
このようにして、卓上式充電器１をユーザーの正面に置いたときでも、左右のずれた位置に置いたときでも、最適な角度にホルダ部３を回動及び傾動させることにより、ＴＶ画面５０ａをユーザーの視線の正面に向けることが可能になる。こうして、携帯電話機５０の画面５０ａを横長にした状態で最適な角度でＴＶの視聴が快適に行われる。
【００５２】
−実施形態の効果−
したがって、本実施形態によると、携帯電話機５０が装着されるホルダ部３の角度を自由に変更可能としたことにより、卓上に載置して快適にテレビ視聴を行えると共に、視聴後すぐに携帯電話機５０を携帯可能とすることができる。
【００５３】
（その他の実施形態）
本発明は、上記実施形態について、以下のような構成としてもよい。
【００５４】
すなわち、上記実施形態では、充電用接点３０をホルダ部３の幅方向の一方に設けたが、ホルダ部３の長手方向の一方に設けてもよい。この場合には、長手方向の一方に充電端子が設けられたＴＶ機能付携帯端末の充電に適している。
【００５５】
上記実施形態では、付勢部材を圧縮バネ１６としたが、液圧ダンパやゴムとしてもよい。
【００５６】
上記実施形態では、調整手段１８は、調整用ビス２０の締め付けによるものとしたが、それに限定されず、調整用ビス２０の変わりにつまみを回転させたり、レバーを上下させたりすることにより、圧縮バネ１６の強度を調整するようにしてもよい。そのように構成すれば、工具は必要なくなる。
【００５７】
上記実施形態では、ＴＶ機能付携帯端末は、携帯電話機としたが、ＰＣ、モバイルツール、電子辞書、電卓、複写機等のＴＶ機能付のものであってもよい。また、ＰＨＳ、ＰＤＡなどのＴＶ機能付携帯通信機器であってもよい。
【００５８】
なお、以上の実施形態は、本質的に好ましい例示であって、本発明、その適用物や用途の範囲を制限することを意図するものではない。
【産業上の利用可能性】
【００５９】
以上説明したように、本発明は、携帯電話機などのＴＶ機能付の携帯端末用の卓上に載置される充電器について有用である。
【図面の簡単な説明】
【００６０】
【図１】本実施形態にかかる卓上式充電器のホルダ部を傾動させた状態を左前方から見た示す斜視図である。
【図２】卓上式充電器のホルダ部を傾動させた状態を示す正面図である。
【図３】卓上式充電器のホルダ部を水平にした状態を示す正面図である。
【図４】卓上式充電器のホルダ部を水平にした状態を示す斜視図である。
【図５】卓上式充電器のホルダ部を水平にした状態を下方から見た斜視図である。
【図６】図２のVI−VI線断面図である。
【図７】卓上式充電器の分解図である。
【図８】卓上式充電器に携帯電話機を設置した斜視図である。
【図９】充電端子が見えるようにした携帯電話機の斜視図である。
【符号の説明】
【００６１】
１      卓上式充電器
２      ベース部
３      ホルダ部
４      軸保持部
５      台部
６      ケース
８      切欠部
９      軸部
９ａ    円柱形状部
９ｃ    球形状部
１１      軸受部
１３      球面軸受
１６      圧縮バネ（付勢部材）
１８      調整手段
２０      調整用ビス
２６      ロックレバー（保持部）
２６ａ    ロックレバー支持軸
２８      接点レバー
２８ａ    接点レバー支持軸
２９      検出ボタン
３０      充電用接点
３１      配線
５０      携帯電話機（ＴＶ機能付携帯端末）
５０ａ    画面
５１      充電端子
【図１】
2008294793.tif 000003
【図２】
2008294793.tif 000004
【図３】
2008294793.tif 000005
【図４】
2008294793.tif 000006
【図５】
2008294793.tif 000007
【図６】
2008294793.tif 000008
【図７】
2008294793.tif 000009
【図８】
2008294793.tif 000010
【図９】
2008294793.tif 000011